(57)【要約】【課題】別々の筐体に収容される送信制御部と送信高周波部とを同軸ケーブルで接続する２筐体分離型のデジタルＦＰＵ送信装置において、所定のＣ／Ｎの値以下となるＳＨＦ信号の出力を確実に防止可能とする。【解決手段】映像・音声信号の入力を送信制御部１６のデジタル変調器３にて変調したＩＦ信号を、同軸ケーブル７を介して送信高周波部１７に入力して周波数変換器１０にてＳＨＦ信号に変換し、ＳＨＦ電力増幅器１１にて所定の電力に増幅して出力するデジタルＦＰＵ送信装置１００において、送信高周波部１７へ到達したＩＦ信号レベルを検波器１２にて検出し、レベル検出回路１３にあらかじめ設定した閾値以下のレベルであると比較器１４にて判定した場合、スイッチ回路１８をＯＦＦし、電力増幅器用電源部１５からＳＨＦ電力増幅器１１への電力供給を停止して、ＳＨＦ電力増幅器１１からのＳＨＦ信号の出力を停止し、その旨を表示器２０に表示する。【選択図】図１
2008103781.tif 000002
【特許請求の範囲】
【請求項１】
入力された映像・音声信号をＩＦ信号に変調する送信制御部と、該送信制御部からのＩＦ信号をＳＨＦ信号に変換し、ＳＨＦ電力増幅器にて所定の電力に増幅して出力する送信高周波部と、を別個の筐体に収容して、双方を同軸ケーブルで接続して構成する２筐体分離型のデジタルＦＰＵ送信装置において、前記送信制御部から前記送信高周波部へ到達したＩＦ信号レベルを検出する検波手段と、該検波手段により検出したＩＦ信号レベルをあらかじめ設定した閾値と比較する比較手段と、該比較手段における比較結果により前記ＳＨＦ電力増幅器への給電を行うか否かをスイッチングするスイッチ手段と、を少なくとも備えていることを特徴とするデジタルＦＰＵ送信装置。
【請求項２】
請求項１に記載のデジタルＦＰＵ送信装置において、前記比較手段における比較結果として、前記送信高周波部へ到達したＩＦ信号レベルが前記閾値以下のレベルにあると判定した場合、前記スイッチ手段は、前記ＳＨＦ電力増幅器への給電を停止することを特徴とするデジタルＦＰＵ送信装置。
【請求項３】
請求項２に記載のデジタルＦＰＵ送信装置において、任意の情報を表示する表示手段を有し、前記スイッチ手段が前記ＳＨＦ電力増幅器への給電を停止した際に、停止した旨を前記表示手段に表示することを特徴とするデジタルＦＰＵ送信装置。
【請求項４】
請求項１ないし３のいずれかに記載のデジタルＦＰＵ送信装置において、前記送信制御部から前記送信高周波部へ送信するＩＦ信号にＤＣ電圧を重畳している場合、前記送信制御部から前記送信高周波部へ到達したＩＦ信号に重畳されているＤＣ電圧を検出する電圧検出手段と、該電圧検出手段により検出したＤＣ電圧レベルをあらかじめ設定した電圧閾値と比較する電圧比較手段と、をさらに備え、該電圧比較手段における比較結果と、前記比較手段における比較結果との双方により、前記スイッチ手段を制御して前記ＳＨＦ電力増幅器への給電を行うか否かをスイッチングすることを特徴とするデジタルＦＰＵ送信装置。
【請求項５】
請求項４に記載のデジタルＦＰＵ送信装置において、前記電圧比較手段における比較結果として、前記送信高周波部へ到達したＤＣ電圧レベルが前記電圧閾値以下のレベルにあると判定した場合、あるいは、前記比較手段における比較結果として、前記送信高周波部へ到達したＩＦ信号レベルが前記閾値以下のレベルにあると判定した場合、前記スイッチ手段は、前記ＳＨＦ電力増幅器への給電を停止することを特徴とするデジタルＦＰＵ送信装置。
【請求項６】
入力された映像・音声信号をＩＦ信号に変調する送信制御部と、該送信制御部からのＩＦ信号をＳＨＦ信号に変換し、ＳＨＦ電力増幅器にて所定の電力に増幅して出力する送信高周波部と、を別個の筐体に収容して、双方を同軸ケーブルで接続して構成する２筐体分離型のデジタルＦＰＵ送信装置におけるＳＨＦ信号出力制御方法であって、前記送信制御部から前記送信高周波部へ到達したＩＦ信号レベルとあらかじめ設定した閾値との比較結果により前記ＳＨＦ電力増幅器への給電を行うか否かを決定し、ＳＨＦ信号の出力を制御することを特徴とするＳＨＦ信号出力制御方法。
【請求項７】
請求項６に記載のＳＨＦ信号出力制御方法において、前記送信制御部から前記送信高周波部へ送信するＩＦ信号にＤＣ電圧を重畳している場合、重畳されているＤＣ電圧とあらかじめ設定した電圧閾値との比較結果と、前記ＩＦ信号レベルと前記閾値との比較結果との双方により、前記ＳＨＦ電力増幅器への給電を行うか否かを決定し、ＳＨＦ信号の出力を制御することを特徴とするＳＨＦ信号出力制御方法。
【発明の詳細な説明】
【技術分野】
【０００１】
本発明は、デジタルＦＰＵ送信装置およびＳＨＦ信号出力制御方法に関する。
【背景技術】
【０００２】
従来のデジタルＦＰＵ（Field
Pick-up Unit）送信装置は、特許文献１の特開平０９−００８５７７号公報「２筐体分離型ＦＰＵ送信装置」にも記載されているように、図３に示すような構成からなっている。図３は、従来のデジタルＦＰＵ送信装置の構成を示すブロック構成図であり、入力された映像・音声信号をＩＦ信号に変調する送信制御部と、該送信制御部からのＩＦ信号をＳＨＦ信号に変換し、ＳＨＦ電力増幅器にて所定の電力に増幅して出力する送信高周波部と、が別々の筐体に収容され、その間を同軸ケーブルで接続する２筐体分離型のＦＰＵ送信装置の構成を示している。
【０００３】
図３のデジタルＦＰＵ送信装置１００Ａにおいて、送信制御部１６は、入力端子１から入力した映像・音声信号を符号化・圧縮するエンコーダ２と、エンコーダ２からの信号をＩＦ信号（Intermediate Frequency：中間周波数信号）に変調するデジタル変調器３と、デジタル変調されたＩＦ信号を所定の出力まで増幅するＩＦ信号増幅器４と、ＩＦ信号とＤＣ電源とを１本の同軸ケーブルに多重するための分波・合成器５と、ＤＣ電源を出力する電源部６と、を備えている。
【０００４】
送信高周波部１７Ａは、１本の同軸ケーブル７に多重されてきたＩＦ信号とＤＣ電源とを分離するための分波・合成器８と、同軸ケーブル７を介して送信制御部１６より入力されるＩＦ信号を一定のレベルまで増幅するＩＦ
ＡＧＣ増幅器９と、ＩＦ信号をＳＨＦ信号（Super High Frequency：超高周波数信号、マイクロ波信号）に変換する周波数変換器１０と、周波数変換されたＳＨＦ信号を所定の出力まで増幅して出力端子２１から出力するＳＨＦ電力増幅器１１と、送信高周波部１７Ａへ到達した重畳ＤＣ電圧を検出する電圧検出器１９と、重畳ＤＣ電圧の低下下限値を設定値（閾値）として設定するレベル設定回路１３Ａと、電圧検出器１９による検出レベルとレベル設定回路１３Ａの設定値（閾値）とを比較する比較器１４Ａと、ＳＨＦ電力増幅器１１に供給する電源を生成する電力増幅器用電源部１５と、ＳＨＦ電力増幅器１１への給電をＯＮ／ＯＦＦするスイッチ回路１８と、を備えている。
【０００５】
次に、図３に示すＦＰＵ送信装置１００Ａの動作を説明する。送信制御部１６の入力端子１に入力された映像・音声信号は、エンコーダ２にて符号化・圧縮された後、デジタル変調器３にてＩＦ信号に変換される。変換されたＩＦ信号は、ＩＦ信号増幅器４にて所要のレベルにまで増幅され、電源部６からのＤＣ電圧が分波・合成器５にて重畳されて、同軸ケーブル７を介して、送信高周波部１７に伝送される。
【０００６】
送信高周波部１７Ａに到達したＤＣ電圧が重畳されたＩＦ信号は、分波・合成器８にて、ＩＦ信号とＤＣ電圧とに分波され、ＩＦ信号は、ＩＦ
ＡＧＣ増幅器９に入力される。ＩＦ  ＡＧＣ増幅器９に入力されたＩＦ信号は、一定レベルに増幅され、周波数変換器１０に入力される。周波数変換器１０に入力されたＩＦ信号は、ＳＨＦ信号へ周波数変換処理が行われた後、ＳＨＦ電力増幅器１１に入力され、所定の電力に増幅される。しかる後、デジタルＦＰＵ送信装置１００の出力信号として出力端子２１から出力される。
【０００７】
一方、分波・合成器８にて分配されたＤＣ電圧は、電力増幅器用電源部１５と電圧検出器１９とに分配される。電力増幅器用電源部１５に分配されたＤＣ電圧により、ＳＨＦ電力増幅器１１に供給するための電源を生成され、スイッチ回路１８を介して、ＳＨＦ電力増幅器１１に供給される。また、電圧検出器１９に分配されたＤＣ電圧は、送信高周波部１７Ａへ到達した重畳ＤＣ電圧の電圧レベルとして検出され、比較器１４Ａに入力される。
【０００８】
比較器１４Ａでは、送信高周波部１７Ａに入力されてきた重畳ＤＣ電圧の電圧レベルが、重畳ＤＣ電圧の低下下限値としてレベル設定回路１３Ａにて設定されている設定値（閾値）と比較・判定される。電圧検出器１９から出力されたＤＣ電圧レベルすなわち送信高周波部１７Ａに入力されてきた重畳ＤＣ電圧の電圧レベルがレベル設定回路１３Ａにて設定された設定値（閾値）以下に低いと判定された時は、スイッチ回路１８を制御して、ＳＨＦ電力増幅器１１への給電を停止させる。この結果、ＳＨＦ電力増幅器１１の動作は停止し、ＳＨＦ電力増幅器１１すなわちデジタルＦＰＵ送信装置１００ＡからのＳＨＦ信号の出力は停止される。
【特許文献１】特開平０９−００８５７７号公報（第３−４頁）
【発明の開示】
【発明が解決しようとする課題】
【０００９】
図３に示すような従来のデジタルＦＰＵ送信装置１００Ａにおいては、送信制御部１６から送信高周波部１７へ到達したＤＣ電圧レベルを検出して、ＳＨＦ電力増幅器１１への電力供給を停止するように動作するものの、送信制御部１６から送信高周波部１７へ到達するＩＦ信号レベルの検出手段を有していないため、たとえ、ＳＨＦ電力増幅器１１へ所要の電力が供給されるために十分なＤＣ電圧レベルがあったとしても、例えば図２のβ点のように、到達ＩＦ信号レベルが例えば−４４ｄＢｍ以下のレベルであって、Ｃ／Ｎ（Carrier to Noise ratio）が例えば−３４ｄＢ以下と大幅に劣化するような状態であっても、送信高周波部１７からＳＨＦ信号が出力されてしまう可能性があるという課題がある。ここで、図２は、デジタルＦＰＵ送信装置のＩＦ ＡＧＣ増幅器の入出力特性の一例を説明するためのグラフである。
【００１０】
すなわち、従来のデジタルＦＰＵ送信装置１００Ａにおいては、同軸ケーブル７にＩＦ信号に重畳されて送信高周波部１７に到達する重畳ＤＣ電圧の低下を検出することにより、送信高周波部１７としての出力動作を停止させるようにしているため、使用する同軸ケーブル７の種類等によっては、重畳ＤＣ電圧が設定値以下に低下していなくても、送信高周波部１７への到達ＩＦ信号レベルが低下して、Ｃ／Ｎが低下した状態のＳＨＦ信号が送信高周波部１７から出力されてしまい、隣接チャンネルを使用している回線へ妨害を与えてしまうという課題があった。
【００１１】
本発明の目的は、別々の筐体に収容されている送信制御部と送信高周波部とを接続する同軸ケーブルの種類・長さ等が運用の状態によって変わっても、所定のＣ／Ｎ以下のＳＨＦ信号が出力されることを確実に防止可能とする２筐体分離型のデジタルＦＰＵ送信装置およびＳＨＦ信号出力制御方法を提供することにある。
【００１２】
すなわち、デジタルＦＰＵ送信装置として、送信高周波部へ到達したＩＦ信号レベルを検出する検波手段と、検出したＩＦ信号レベルをあらかじめ設定した閾値と比較する比較手段と、比較結果によりＳＨＦ電力増幅器への給電を行うか否かをスイッチングするスイッチ手段（すなわち、前記ＩＦ信号レベルが前記閾値以下になった場合には給電を切断する切断手段）と、を少なくとも有することにより、所定のＣ／Ｎ以下のＳＨＦ信号が出力されることを防止可能とすることを目的としている。
【課題を解決するための手段】
【００１３】
前述の課題を解決するため、本発明による２筐体分離型のデジタルＦＰＵ送信装置およびＳＨＦ信号出力制御方法は、次のような特徴的な構成を採用している。
【００１４】
（１）入力された映像・音声信号をＩＦ信号に変調する送信制御部と、該送信制御部からのＩＦ信号をＳＨＦ信号に変換し、ＳＨＦ電力増幅器にて所定の電力に増幅して出力する送信高周波部と、を別個の筐体に収容して、双方を同軸ケーブルで接続して構成する２筐体分離型のデジタルＦＰＵ送信装置において、前記送信制御部から前記送信高周波部へ到達したＩＦ信号レベルを検出する検波手段と、該検波手段により検出したＩＦ信号レベルをあらかじめ設定した閾値と比較する比較手段と、該比較手段における比較結果により前記ＳＨＦ電力増幅器への給電を行うか否かをスイッチングするスイッチ手段と、を少なくとも備えているデジタルＦＰＵ送信装置。
（２）上記（１）のデジタルＦＰＵ送信装置において、前記比較手段における比較結果として、前記送信高周波部へ到達したＩＦ信号レベルが前記閾値以下のレベルにあると判定した場合、前記スイッチ手段は、前記ＳＨＦ電力増幅器への給電を停止するデジタルＦＰＵ送信装置。
（３）上記（２）のデジタルＦＰＵ送信装置において、任意の情報を表示する表示手段を有し、前記スイッチ手段が前記ＳＨＦ電力増幅器への給電を停止した際に、停止した旨を前記表示手段に表示するデジタルＦＰＵ送信装置。
（４）上記（１）ないし（３）のいずれかのデジタルＦＰＵ送信装置において、前記送信制御部から前記送信高周波部へ送信するＩＦ信号にＤＣ電圧を重畳している場合、前記送信制御部から前記送信高周波部へ到達したＩＦ信号に重畳されているＤＣ電圧を検出する電圧検出手段と、該電圧検出手段により検出したＤＣ電圧レベルをあらかじめ設定した電圧閾値と比較する電圧比較手段と、をさらに備え、該電圧比較手段における比較結果と、前記比較手段における比較結果との双方により、前記スイッチ手段を制御して前記ＳＨＦ電力増幅器への給電を行うか否かをスイッチングするデジタルＦＰＵ送信装置。
（５）上記（４）のデジタルＦＰＵ送信装置において、前記電圧比較手段における比較結果として、前記送信高周波部へ到達したＤＣ電圧レベルが前記電圧閾値以下のレベルにあると判定した場合、あるいは、前記比較手段における比較結果として、前記送信高周波部へ到達したＩＦ信号レベルが前記閾値以下のレベルにあると判定した場合、前記スイッチ手段は、前記ＳＨＦ電力増幅器への給電を停止するデジタルＦＰＵ送信装置。
（６）入力された映像・音声信号をＩＦ信号に変調する送信制御部と、該送信制御部からのＩＦ信号をＳＨＦ信号に変換し、ＳＨＦ電力増幅器にて所定の電力に増幅して出力する送信高周波部と、を別個の筐体に収容して、双方を同軸ケーブルで接続して構成する２筐体分離型のデジタルＦＰＵ送信装置におけるＳＨＦ信号出力制御方法であって、前記送信制御部から前記送信高周波部へ到達したＩＦ信号レベルとあらかじめ設定した閾値との比較結果により前記ＳＨＦ電力増幅器への給電を行うか否かを決定し、ＳＨＦ信号の出力を制御するＳＨＦ信号出力制御方法。
（７）上記（６）のＳＨＦ信号出力制御方法において、前記送信制御部から前記送信高周波部へ送信するＩＦ信号にＤＣ電圧を重畳している場合、重畳されているＤＣ電圧とあらかじめ設定した電圧閾値との比較結果と、前記ＩＦ信号レベルと前記閾値との比較結果との双方により、前記ＳＨＦ電力増幅器への給電を行うか否かを決定し、ＳＨＦ信号の出力を制御するＳＨＦ信号出力制御方法。
【発明の効果】
【００１５】
本発明の２筐体分離型のデジタルＦＰＵ送信装置およびＳＨＦ信号出力制御方法によれば、送信制御部から送信高周波部に到達したＤＣ電圧レベルではなく、送信制御部から送信高周波部に到達したＩＦ信号レベルが、あらかじめ設定した閾値以下に低下した際に、送信高周波部すなわちデジタルＦＰＵ送信装置からのＳＨＦ信号の出力を停止するので、送信制御部と送信高周波部とを接続する同軸ケーブルが長くなり、到達ＩＦ信号レベルが前記閾値以下に低下した場合には、ＳＨＦ電力増幅器への給電が停止され、Ｃ／Ｎが劣化した状態のＳＨＦ信号をデジタルＦＰＵ送信装置から送信することをより確実に防止することができ、もって、隣接チャンネルを使用する回線への妨害を防止することができるという効果を奏することができる。
【発明を実施するための最良の形態】
【００１６】
以下、本発明による２筐体分離型のデジタルＦＰＵ送信装置およびＳＨＦ信号出力制御方法の好適実施形態例について添付図を参照して説明する。
【００１７】
(本発明の特徴）
本発明は、映像・音声信号をＩＦ信号に変調する送信制御部と、ＩＦ信号をＳＨＦ信号に変換してＳＨＦ電力増幅器にて増幅して出力する送信高周波部とを備え、前記送信制御部と前記送信高周波部とを別々の筐体に収容して、両者を同軸ケーブルによって接続するように構成した２筐体分離型のデジタルＦＰＵ送信装置において、前記送信高周波部へ到達したＩＦ信号レベルを検出し、ＩＦ信号レベルがあらかじめ定めた設定値よりも低下した場合には、ＳＨＦ電力増幅器への給電を停止させ、デジタルＦＰＵ送信装置からのＳＨＦ信号の出力を停止させることを特徴としている。
【００１８】
（本発明の実施例の構成）
まず、本発明による２筐体分離型のデジタルＦＰＵ送信装置の構成の一例を、図１を参照しながら説明する。図１は、本発明による２筐体分離型のデジタルＦＰＵ送信装置の構成の一例を示すブロック構成図である。
【００１９】
図１に示す２筐体分離型のデジタルＦＰＵ送信装置１００は、図３のデジタルＦＰＵ送信装置１００Ａの場合と同様、入力された映像・音声信号をＩＦ信号に変調する送信制御部１６と、送信制御部１６からのＩＦ信号をＳＨＦ信号に変換し、ＳＨＦ電力増幅器にて所定の電力に増幅して出力する送信高周波部１７と、送信制御部１６と送信高周波部１７とを接続する同軸ケーブル７とを少なくとも含んで構成されており、送信制御部１６と送信高周波部１７とは別々の筐体に収容されている。
【００２０】
送信制御部１６は、図３に示した従来のデジタルＦＰＵ送信装置１００Ａの送信制御部１６と全く同様であり、入力端子１から入力した映像・音声信号を符号化・圧縮するエンコーダ２と、エンコーダ２からの信号をＩＦ信号に変調するデジタル変調器３と、デジタル変調されたＩＦ信号を所定の出力まで増幅するＩＦ信号増幅器４と、ＩＦ信号とＤＣ電源とを１本の同軸ケーブルに多重するための分波・合成器５と、ＤＣ電源を出力する電源部６と、を少なくとも備えている。
【００２１】
送信高周波部１７は、図３に示した従来のデジタルＦＰＵ送信装置１００Ａの送信高周波部１７Ａのように、到達した重畳ＤＣ電圧を検出する電圧検出器１９の代わりに、送信制御部１６から送信高周波部１７に到達した到達ＩＦ信号レベルを検出する検波器１２を備えており、検波器１２が検出した到達ＩＦ信号レベルをレベル設定回路１３においてあらかじめ設定した設定値（閾値）と比較するように構成している。
【００２２】
すなわち、送信高周波部１７は、１本の同軸ケーブルに多重されてきたＩＦ信号とＤＣ電源とを分離するための分波・合成器８と、同軸ケーブル７を介して送信制御部１６より入力されるＩＦ信号を一定のレベルまで増幅するＩＦ
ＡＧＣ増幅器９と、ＩＦ信号をＳＨＦ信号に変換する周波数変換器１０と、周波数変換されたＳＨＦ信号を所定の出力まで増幅して出力端子２１から出力するＳＨＦ電力増幅器１１と、送信高周波部１７へ到達したＩＦ信号レベルを検出する検波器１２と、ＩＦ信号の低下下限値を設定値（閾値）としてあらかじめ設定するレベル設定回路１３と、検波器１２によるＩＦ信号の検出レベルとレベル設定回路１３の設定値（閾値）とを比較する比較器１４と、ＳＨＦ電力増幅器１１に供給する電源を生成する電力増幅器用電源部１５と、ＳＨＦ電力増幅器１１への給電をＯＮ／ＯＦＦするスイッチ回路１８と、比較器１４による判定結果を表示する表示器２０と、を少なくとも備えている。
【００２３】
（実施例の動作の説明）
次に、図１の２筐体分離型のデジタルＦＰＵ送信装置１００の動作について、説明する。
【００２４】
送信制御部１６の入力端子１に入力された映像・音声信号は、エンコーダ２にて符号化・圧縮された後、デジタル変調器３にてＩＦ信号に変換される。変換されたＩＦ信号は、ＩＦ信号増幅器４にて所要のレベルにまで増幅され、電源部６からのＤＣ電圧が分波・合成器５にて重畳されて、同軸ケーブル７を介して、送信高周波部１７に伝送される。
【００２５】
送信高周波部１７に到達したＤＣ電圧が重畳されたＩＦ信号は、分波・合成器８にて、ＤＣ電圧とＩＦ信号とに分波され、ＤＣ電圧は、電力増幅器用電源部１５に入力されて、ＳＨＦ電力増幅器１１に供給するための電源を生成する。また、分波・合成器８にて分波されたＩＦ信号は、さらに、２分配され、一方は、ＩＦ
ＡＧＣ増幅器９に入力され、もう一方は、検波器１２に入力される。ＩＦ  ＡＧＣ増幅器９に入力されたＩＦ信号は、一定レベルに増幅され、周波数変換器１０に入力される。周波数変換器１０に入力されたＩＦ信号は、ＳＨＦ信号へ周波数変換処理が行われた後、ＳＨＦ電力増幅器１１に入力され、所定の電力に増幅される。しかる後、デジタルＦＰＵ送信装置１００の出力信号として出力端子２１から出力される。
【００２６】
一方、検波器１２にて検波されたＩＦ信号レベルは、比較器１４に入力され、レベル設定回路１３にて設定された設定値（閾値）と比較・判定される。比較器１４では、検波器１２からの検出レベルすなわち送信高周波部１７に入力されてきた到達ＩＦ信号レベルが、到達ＩＦ信号レベルの低下下限値としてレベル設定回路１３にて設定されている設定値（閾値）以下に低いと判定された時は、スイッチ回路１８を制御して、ＳＨＦ電力増幅器１１への給電を停止させる。この結果、ＳＨＦ電力増幅器１１の動作は停止し、ＳＨＦ電力増幅器１１すなわちＦＰＵデジタル送信装置１００からのＳＨＦ信号の出力は停止される。さらに、到達ＩＦ信号レベルが設定値（閾値）よりも低いと判定され、ＳＨＦ電力増幅器１１への給電を停止した旨を、表示器２０に表示する。
【００２７】
ここで、一般的に、ＩＦ
ＡＧＣ増幅器９の入出力特性は、図２に示す通りであり、送信制御部１６と送信高周波部１７とを接続する同軸ケーブル７の長さが長くなると、ＩＦ ＡＧＣ増幅器９の出力のＣ／Ｎが悪化する。図２は、前述したように、デジタルＦＰＵ送信装置１００のＩＦ ＡＧＣ増幅器９の入出力特性の一例を説明するためのグラフである。
【００２８】
本実施例によれば、レベル設定回路１３への設定値を、前述した従来例におけるＣ／Ｎ劣化点すなわち図２のβ点よりも安全側の値として、図２のα点のように、例えば−３５ｄＢｍの値に設定している場合、送信制御部１６と送信高周波部１７とを接続する同軸ケーブル７の長さが長くなり、送信制御部１６から送信高周波部１７への到達ＩＦレベルが図２のα点の例えば−３５ｄＢｍの値以下に低下した場合、ＳＨＦ電力増幅器１１への給電が停止される。また、送信高周波部１７へのＩＦ到達レベルが低いため、ＳＨＦ電力増幅器１１への給電を停止し、送信高周波部１７すなわちデジタルＦＰＵ送信装置１００からのＳＨＦ信号の出力を停止している旨の表示が表示器２０に出力される。
【００２９】
（本実施例による効果）
以上に説明したように、本実施例によれば、送信制御部１６から送信高周波部１７に到達したＤＣ電圧レベルではなく、送信制御部１６から送信高周波部１７に到達したＩＦ信号レベルが、あらかじめ設定した閾値以下に低下した際に、送信高周波部１７すなわちデジタルＦＰＵ送信装置１００からのＳＨＦ信号の出力を停止するので、送信制御部１６と送信高周波部１７とを接続する同軸ケーブル７が長くなり、到達ＩＦ信号レベルが前記閾値以下に低下した場合には、ＳＨＦ電力増幅器１１への給電が停止され、Ｃ／Ｎが劣化した状態のＳＨＦ信号をデジタルＦＰＵ送信装置１００から送信することをより確実に防止することができ、もって、隣接チャンネルを使用する回線への妨害を防止することができるという効果を奏することができる。
【００３０】
（他の実施例）
なお、前述した実施例においては、送信制御部１６から送信高周波部１７に到達したＩＦ信号レベルのみを、あらかじめ設定した閾値（設定値）と比較して、ＳＨＦ電力増幅器１１の動作を停止させるか否かを制御している場合を説明したが、本発明は、かかる場合のみに限るものではない。例えば、送信制御部１６から送信高周波部１７に到達したＩＦ信号レベルと、重畳されているＤＣ電圧レベルとの双方を用いて、ＳＨＦ電力増幅器１１の動作を停止させるか否かを制御するようにしても良い。
【００３１】
すなわち、送信制御部１６から送信高周波部１７へ到達したＩＦ信号に重畳されているＤＣ電圧を検出する電圧検出器と、該電圧検出器により検出したＤＣ電圧レベルをあらかじめ設定した電圧閾値と比較する電圧比較器と、をさらに備え、該電圧比較器における比較結果と、到達ＩＦ信号レベルの判定用として図１に示した比較器１４における比較結果と、の双方により、スイッチ回路１８のＯＮ／ＯＦＦを制御して、ＳＨＦ電力増幅器１１への給電を行うか否かをスイッチングするようにしても良い。
【００３２】
このように、ＩＦ信号レベルとＤＣ電圧レベルとの双方を用いる場合、ＩＦ信号レベルとＤＣ電圧レベルとの双方のいずれもが、それぞれにあらかじめ設定した閾値（設定値）よりも大きな値になっていた場合に限って、ＳＨＦ電力増幅器１１を動作させ、いずれか一方でもそれぞれに設定した前記閾値（設定値）以下になっていた場合には、スイッチ回路１８をＯＦＦにして、ＳＨＦ電力増幅器１１の動作を停止させるようにし、Ｃ／Ｎが劣化したＳＨＦ信号がデジタルＦＰＵ送信装置から出力されてしまうことをより確実に防止することができる。
【００３３】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【００３４】
【図１】本発明による２筐体分離型のデジタルＦＰＵ送信装置の構成の一例を示すブロック構成図である。
【図２】デジタルＦＰＵ送信装置のＩＦ ＡＧＣ増幅器の入出力特性の一例を説明するためのグラフである。
【図３】従来のデジタルＦＰＵ送信装置の構成を示すブロック構成図である。
【符号の説明】
【００３５】
１        入力端子
２        エンコーダ
３        デジタル変調器
４        ＩＦ信号増幅器
５        分波・合成器
６        電源部
７        同軸ケーブル
８        分波・合成器
９        ＩＦ ＡＧＣ増幅器
１０      周波数変換器
１１      ＳＨＦ電力増幅器
１２      検波器
１３Ａ    レベル設定回路
１３      レベル設定回路
１４      比較器
１４Ａ    比較器
１５      電力増幅器用電源部
１６      送信制御部
１７      送信高周波部
１７Ａ    送信高周波部
１８      スイッチ回路
１９      電圧検出器
２０      表示器
２１      出力端子
１００    デジタルＦＰＵ送信装置
１００Ａ  デジタルＦＰＵ送信装置
【図１】
2008103781.tif 000003
【図２】
2008103781.tif 000004
【図３】
2008103781.tif 000005